(57)【要約】【課題】  収納容器として、蓋側ケースと下側ケースをヒンジを介して連設し、蓋側ケースは、シート状物の積重ね物を収納し、シート状物の下方に取出口を設け、シート状物の自重により下端の一枚が取出口に接しているようにし、下側ケースは、再度剥離可能な粘着剤層を貼着した取付台を設け、シート状物を粘着層に粘着させて一枚ずつ取り出せるようにしたシート状物収納容器を提供すること。【解決手段】  複数のシート状物を積重ねて収納するシート状物収納容器であって、シート状物を積重ねて収納し、該シート状物を取出す取出口がシート状物の下方に形成された蓋側ケースと、取出口内に入り、シート状物の表面に当接し、該シート状物に粘着、再度剥離可能な粘着剤層を貼着した取付台を設けた下側ケースとを、ヒンジを介して連設したことを特徴とする。【選択図】  図２
2006036242.tif 000002
【特許請求の範囲】
【請求項１】
複数のシート状物を積重ねて収納するシート状物収納容器であって、
シート状物を積重ねて収納し、該シート状物を取出す取出口がシート状物の下方に形成された蓋側ケースと、
取出口内に入り、シート状物の表面に当接し、該シート状物に粘着、再度剥離可能な粘着剤層を貼着した取付台を設けた下側ケースとを、ヒンジを介して連設したことを特徴とするシート状物収納容器。
【請求項２】
蓋側ケースの下側面に、取出口を穿設した内蓋を取着したことを特徴とする請求項１記載のシート状物収納容器。
【請求項３】
蓋側ケースの上面に、シート状物の積重ね物を収納する凹部を設け、該凹部の上方より外蓋を取着するとともに、凹部の底壁に取出口を穿設したことを特徴とする請求項１記載のシート状物収納容器。
【発明の詳細な説明】
【技術分野】
【０００１】
本発明は、シート状物収納容器に関するものである。
【背景技術】
【０００２】
複数枚のシート状物を積重ねて収納し、シート状物を一枚ずつ取出す方法として、再度剥離可能な弱粘着性の粘着剤によりシートを取り出すようにしたシート状物収納容器は、従来より知られている（特許文献１参照）。
【特許文献１】特開平１０−３０５８３２号公報
【発明の開示】
【発明が解決しようとする課題】
【０００３】
上記特許文献１記載の容器は、シート状物として、化粧用脂取り紙を収納したもので、ケース本体（２）と、蓋体（５）と、舌片（６）とで構成され、ケース本体（２）には、内部に化粧用脂取り紙（１０）を重ねた状態で収納する収納空間（３）と、化粧用脂取り紙（１０）を取り出すための開口（４）とを有し、開口（４）内に向けて延出する舌片（６）が設置されており、舌片（６）は、弾性を有する部材で構成され、先端部の開口（４）に臨む側の面には、化粧用脂取り紙（１０）に貼着し、再度剥離可能な弱粘着性の粘着剤層（７）が形成されている。
舌片（６）を押圧することにより、化粧用脂取り紙（１０）の最上位置にある一枚の表面に貼着し、舌片（６）の押圧を外すことにより、元の形状に戻ることで、貼着している一枚は隣接する化粧用脂取り紙（１０）から分離して上方に持ち上げられるようにしている。
【０００４】
しかしながら、上記特許文献１記載の容器では、舌片（６）の押圧がたりなかったり、シート状物を使用して残り少なくなったときに、舌片（６）にシート状物が貼着されないという問題があった。
【０００５】
また、収納容器として、ケース本体（２）と蓋体（５）との密封性はなく、水気や湿気のあるところに置いておくと、内部に水分が進入したり、湿気が入りシート状物を湿らすという問題があった。
また、ケース本体（２）の構造上、シート状物の積重ね物を詰め替えて使用することは、簡単にはできないという問題があった。
【０００６】
本発明は、上記の問題を解決することを課題として、収納容器として、蓋側ケースと下側ケースをヒンジを介して連設し、蓋側ケースは、シート状物の積重ね物を収納し、シート状物の下方に取出口を設け、シート状物の自重により下端の一枚が取出口に接しているようにし、下側ケースは、再度剥離可能な粘着剤層を貼着した取付台を設け、シート状物を粘着層に粘着させて一枚ずつ取り出せるようにしたシート状物収納容器を提供することを目的とする。
【課題を解決するための手段】
【０００７】
本発明は、上記の課題を解決するため、シート状物収納容器として、複数のシート状物を積重ねて収納するシート状物収納容器であって、シート状物を積重ねて収納し、該シート状物を取出す取出口がシート状物の下方に形成された蓋側ケースと、取出口内に入り、シート状物の表面に当接し、該シート状物に粘着、再度剥離可能な粘着剤層を貼着した取付台を設けた下側ケースとを、ヒンジを介して連設したことを特徴とする構成を採用する。
【０００８】
蓋側ケースの実施形態として、蓋側ケースの下側面に取出口を穿設した内蓋を取着したことを特徴とする構成、または、蓋側ケースの上面に、シート状物の積重ね物を収納する凹部を設け、該凹部の上方より外蓋を取着するとともに、凹部の底壁に取出口を穿設したことを特徴とする構成を採用する。
【発明の効果】
【０００９】
シート状物の積重ね物を収納し、シート状物の下方に取出口を設けた蓋側ケースと、粘着後、再度剥離可能な粘着剤層を貼着した取付台を設けた下側ケースとを、ヒンジを介して連設して形成される収納容器を開閉することにより、シート状物の自重と粘着剤層とでシート状物を最後まで一枚ずつ下側ケースに取り出せるようになった。
【００１０】
また、蓋側ケースに蓋体を取着することで、シート状物を最後まで使用した後に、シート状物を詰替えて、再度使用することができる。
【発明を実施するための最良の形態】
【００１１】
次に、本発明のシート状物収納容器ついて、実施例をあげて説明する。
図１、２において、Ａは下側ケース、Ｂは下側ケースＡにヒンジＣを介して連設され、内方にシート状物Ｄを収納する蓋側ケースである。
【００１２】
図１〜３に示すように、下側ケースＡは、底壁１と、該底壁１に立設された側周壁２とからなっている。
底壁１の中央部には、取付台３が立設され、その高さは側周壁２の高さより少し高くなっており、その上面には粘着剤層Ｓが貼着されている。
【００１３】
側周壁２は、前壁２ａ、後壁２ｂ、両側の側壁２ｃとから形成されており、前壁２ａ外側中央には、係止突条４を突設した係止凹部５が設けられ、係止凹部５の両側には、指かけ突部６が配設されている。
後壁２ｂ外側の所定の位置には、ヒンジＣが設けられ、該ヒンジＣを介して蓋側ケースＢが連設されている。
【００１４】
図１〜３に示すように、蓋側ケースＢは、頂壁１０と、該頂壁１０の側周端縁から設けられた側周壁１１とからなり、蓋側ケースＢの内方にはシート状物Ｄが収納され、内蓋１２が取着されるようになっている。
側周壁１１は、前壁１１ａ、後壁１１ｂ、両側の側壁１１ｃとから形成され、前壁１１ａと後壁１１ｂの中央部内面、各側壁１１ｃの両側部内面には、所定の位置に内蓋１２を取着するための嵌合凹部１３が配設されている。
【００１５】
蓋側ケースＢの内方には、所定の位置に、シート状物を位置決めするためのリブ１４が、頂壁１０より側壁１１ｃ端縁まで延びるように設けられている。
【００１６】
前壁１１ａ端縁中央には、閉蓋時に、下側ケースＡの前壁２ａに設けた係止凹部５の係止突条４と係合する係止突条１５を突設した係合突部１６が設けられており、前壁１１ａ中央外側には、下側ケースＡの指かけ突部６と係合する指かけ部１７が配設されている。
後壁１１ｂは、ヒンジＣを介して下側ケースＡに連設されている。
【００１７】
内蓋１２は、中央にシート状物Ｄを取り出す取出口２０を穿設した頂板２１と、該頂板２１の側周端縁より垂設される側周壁２２とからなり、側周壁２２の外周には、蓋側ケースＢの側周壁１１内面に設けられた嵌合凹部１３と嵌合する嵌合突条２３が所定の位置に配設され、側周壁２２の両側には、リブ１４が嵌挿する切込部２４が配設されている。
【００１８】
シート状物Ｄは、紙石鹸等の薄いシートを積重ねたもので、図３に示すように、蓋側ケースＢ内に配設されたリブ１４と両側の側壁１１ｃとの間に載置され、蓋側ケースＢに上面より内蓋１２を嵌合させることによって収納される。      
【００１９】
次に、本実施形態のシート状物収納容器の組立てと、作用効果について説明する。
容器の組立てにあたっては、まず、下側ケースＡに、ヒンジＣを介して一体成形された蓋側ケースＢの頂壁１０内側面の所定の位置にシート状物Ｄを載置し、上方より内蓋１２を、蓋側ケースＢの側周壁１１内周に嵌合させる。
この時、内蓋１２は、頂板２１の肉厚の分だけ、蓋側ケースＢの側周壁１１の端縁より高くなっている。
【００２０】
閉蓋時には、ヒンジＣを介して蓋側ケースＢの前壁１１ａを廻動させ、側周壁１１と下側ケースＡの側周壁２とを当接し、前壁２ａに設けた係止凹部５と蓋側ケースＢの係止突部１６とを係合させることにより、閉蓋状態を保持させる。
この時、蓋側ケースＢの内蓋１２は、側周壁１１に嵌着されており、頂板２１の肉厚だけ側周壁１１の高さより高く、頂板２１周縁が下側ケースＡの側周壁２内周面に嵌挿されるので、下側ケース内周と密接され、収納容器内の密封性が高められる。
【００２１】
閉蓋状態の時には、下側ケースＡに設けられた取付台３の高さが側周壁２の高さより高いため、上端に貼着した粘着剤層Ｓが、蓋側ケースＢの内蓋１２に設けた取出口２０より頂板２１の内方に入り、収納されたシート状物Ｄの自重により、常に下端のシートＤｎの表面に当接する。
このことにより、シートＤｎは粘着剤層Ｓに粘着される。
【００２２】
開蓋時には、下側ケースＡの前壁２ａに設けた指かけ突部６と、蓋側ケースＢの前壁１１ａに設けた指かけ部１７に指をかけてひねると、簡単に係止凹部５と係止突部１６との係合を外すことができ、開蓋状態となる。
この時、シート状物Ｄの下端のシートＤｎは、下側ケースＡの取付台３に貼着した粘着剤層Ｓに粘着されており、シートＤｎ一枚は薄く、剛性はほとんど無視できるものであるから、開蓋を進めていくとシートＤｎ一枚だけが取出口２０より出てくることになる。
シートＤｎの使用時には、指でシートを摘み、粘着剤層Ｓより剥離して使用する。
【００２３】
シート状物Ｄを連続して使用する際には、閉蓋し、シート状物Ｄの自重により、次のシートＤｎを粘着剤層Ｓに当接させて粘着させ、開蓋をすることにより使用することができる。
閉蓋と開蓋を繰り返すことにより、連続してシートを一枚ずつ使用することができる。
この際、粘着剤層ＳをシートＤｎに当接し、粘着させればよいので、完全に閉蓋状態にしなくてもよい。
【００２４】
シート状物Ｄをすべて使い終わったら、蓋側ケースＢより内蓋１２を取外し、蓋側ケースＢ内に新しいシート状物の積重ね物を詰替え、また内蓋１２を取着すると、再び使用することができる。
【００２５】
次に、上記実施例のシート状物Ｄを収納する蓋の位置を変更した別実施例について説明をする。
上記実施例では、蓋側ケースＢの内面にリブ１４を設け、リブ１４と蓋側ケースＢの側壁１１ｃと内方に取着した内蓋１２とでシート状物Ｄを収納し、内蓋１２の中央に設けた取出口２０よりシートＤｎを一枚ずつ取り出していたが、図４、５に示すように、蓋側ケースＢの頂壁１０外面よりシート状物Ｄを収納する凹部３０を凹設し、該凹部３０にシート状物Ｄを収納し、頂壁１０上面より凹部３０に、外蓋３１を取着した容器であってもよい。
【００２６】
使用にあたっては、凹部３０の底壁３２に穿設された取出口３３よりシートＤｎを一枚ずつ取り出して、使用することができる。
シート状物の詰替えは、下側ケースＡと蓋側ケースＢが閉蓋状態の時でも上から外蓋３１を取外し、シート状物Ｄを簡単に詰替えることができる。
【産業上の利用可能性】
【００２７】
下側ケースと蓋側ケースを開閉することで、下側ケースに貼着した粘着剤層が、蓋側ケースに収納されたシート状物の積重ね物の下端の表面に当接し、粘着することにより、取出口からシート状物を一枚ずつ取出し、最後まで確実に使用することができる。
蓋側ケースに取着された蓋体により、シート状物の詰替えも、簡単にできるようになった。
【００２８】
本発明のシート状物収納容器の構成は、紙石鹸、その他の各種のシート状物品の携帯用小型容器にも適用することができる。
【図面の簡単な説明】
【００２９】
【図１】本発明シート状物収納容器の縦断面図である。
【図２】開蓋時の縦断面図である。
【図３】シート状物収納容器の分解斜視図で、（ａ）は内蓋、（ｂ）は蓋側ケース、（ｃ）は下側ケースである。
【図４】別実施例シート状物収納容器の縦断面図である。
【図５】開蓋時の縦断面図である。
【符号の説明】
【００３０】
Ａ            下側ケース
Ｂ            蓋側ケース
Ｃ            ヒンジ
Ｄ            シート状物
Ｄｎ          シート
Ｓ            粘着剤層
１            底壁
２            側周壁
２ａ          前壁
２ｂ          後壁
２ｃ          側壁
３            取付台
４            係止突条
５            係止凹部
６            指かけ突部
１０          頂壁
１１          側周壁
１１ａ        前壁
１１ｂ        後壁
１１ｃ        側壁
１２          内蓋
１３          嵌合凹部
１４          リブ
１５          係止突条
１６          係合突部
１７          指かけ部
２０、３３    取出口
２１          頂板
２２          側周壁
２３          嵌合突条
２４          切込部
３０          凹部
３１          外蓋
３２          底壁
【図１】
2006036242.tif 000003
【図２】
2006036242.tif 000004
【図３】
2006036242.tif 000005
【図４】
2006036242.tif 000006
【図５】
2006036242.tif 000007